(57)【要約】【課題】コンテナ内に並べて収容した複数本の各きのこ栽培瓶の上方に伸長するきのこを上方に向けて真っ直ぐに生育させるきのこ栽培方法を提供する。【解決手段】コンテナ１０内に並べて収容した複数本のきのこ栽培瓶２０の間に存在する４方をきのこ栽培瓶の瓶胴部２４で囲まれた空隙部分１４に、その下端を嵌入、係止させて、その空隙部分１４上方に起立させた差込ブロックの上端６４周囲面により、その空隙部分１４の４方の各きのこ栽培瓶２０の空隙部分１４内方を向く瓶口２２外側上端縁近くからその上方にかけての部分を、それぞれ囲んだ状態とする。そして、その空隙部分１４の４方の各きのこ栽培瓶２０の空隙部分１４内方を向くきのこ３０周囲部分を、上記差込ブロックの上端６４周囲面により上方に向けて支持する。そして、そのきのこ３０周囲部分が、空隙部分１４内方に向けて傾く等するのを、防ぐ。【選択図】図１
2005328786.tif 000002
【特許請求の範囲】
【請求項１】
籠状をしたコンテナ内に、同一形状をした同一大きさの複数本のきのこ栽培瓶を、その瓶上部をコンテナ上方に突出させた状態で並べて収容して、前記きのこ栽培瓶に充填された培地から発芽させたきのこを、きのこ栽培瓶の瓶口を通して、きのこ栽培瓶の上方に生育するきのこ栽培方法であって、
前記同一形状をした同一大きさの複数本のきのこ栽培瓶を、その隣り合う各きのこ栽培瓶の中心軸間を結ぶ線が正方形を隙間なく前後及び左右に整列させて並べた形状をなすように、その隣り合う各きのこ栽培瓶の瓶胴部の一部を互いに密接させた状態で、前記コンテナ内に前後及び左右に複数列に整列させて並べて収容し、かつ、そのコンテナ内の最外側に並ぶ複数本の各きのこ栽培瓶のコンテナ外方を向く瓶口上端縁外側近くからその上方にかけての部分を起立壁によりそれぞれ囲むと共に、前記コンテナ内に前後及び左右に整列させて並べて収容した複数本のきのこ栽培瓶の間に存在する４方をきのこ栽培瓶の瓶胴部で囲まれた複数の各空隙部分に、差込ブロックの下端をそれぞれ嵌入、係止させて、その空隙部分上方に起立させた差込ブロックの上端周囲面により、その空隙部分４方の各きのこ栽培瓶の空隙部分内方を向く瓶口外側上端縁近くからその上方にかけての部分をそれぞれ囲んだ状態で、そのコンテナ内に並べて収容した複数本の各きのこ栽培瓶に充填された培地から発芽させたきのこを、そのきのこ栽培瓶の瓶口を通して、きのこ栽培瓶の上方に生育することを特徴とするきのこ栽培方法。
【請求項２】
前記起立壁に、前記コンテナ内の最外側に並ぶ複数本のきのこ栽培瓶の瓶胴部とそれに対向するコンテナ内側壁との間の隙間に、その下端壁を押入、係止させて、その上端壁をコンテナ内側壁の上方に起立させた状態とするカバーであって、
そのコンテナ内側壁の上方に起立させた状態とする上端壁内側面が、コンテナ内の最外側に並ぶ複数本の各きのこ栽培瓶のコンテナ外方を向く瓶口外側上端縁近くからその上方にかけての部分をそれぞれ囲む凹凸面を持つカバーを用いることを特徴とする請求項１記載のきのこ栽培方法。
【請求項３】
前記コンテナに、ほぼ方形籠状をしたコンテナを用いることを特徴とする請求項１又は２記載のきのこ栽培方法。
【請求項４】
前記カバーが、ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、そのコンテナ内４方の内側壁上方にそれぞれ起立させた上端壁により、ほぼ方形籠状をしたコンテナ内側面の上方周囲をほぼ方形筒状に連続して囲むほぼＬ字帯板状をした４枚の分離カバーからなるものであって、
その４枚の各分離カバーが、前記ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、その上端壁をコンテナ内４方の内側壁上方にそれぞれ起立させた状態とするための係止手段を持つと共に、
そのコンテナ内４方の内側壁上方にそれぞれ起立させた状態とする４枚の各分離カバーの上端壁内側面が、コンテナ内４方の最外側に並ぶ複数本の各きのこ栽培瓶のコンテナ外方を向く瓶口外側上端縁近くからその上方にかけての部分をそれぞれ囲む凹凸面を持つことを特徴とする請求項２が引用された請求項３記載のきのこ栽培方法に用いるカバー。
【請求項５】
前記カバーが、ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、そのコンテナ内左右の内側壁上方にそれぞれ起立させた上端壁により、ほぼ方形籠状をしたコンテナ内側面の上方周囲をほぼ方形筒状に連続して囲むほぼコの字帯板状をした２枚の分離カバーからなるものであって、
その２枚の各分離カバーが、前記ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、その上端壁をコンテナ内左右の内側壁上方にそれぞれ起立させた状態とするための係止手段を持つと共に、
そのコンテナ内左右の内側壁上方にそれぞれ起立させた状態とする２枚の各分離カバーの上端壁内側面が、コンテナ内左右の最外側に並ぶ複数本の各きのこ栽培瓶のコンテナ外方を向く瓶口外側上端縁近くからその上方にかけての部分をそれぞれ囲む凹凸面を持つことを特徴とする請求項２が引用された請求項３記載のきのこ栽培方法に用いるカバー。
【請求項６】
前記差込ブロックが、その下端周囲を前記空隙部分４方のきのこ栽培瓶の瓶肩部に掛止することにより、その下端を前記空隙部分に嵌入、係止させる構造のものであることを特徴とする請求項１、２又は３記載のきのこ栽培方法に用いる差込ブロック。
【請求項７】
前記差込ブロックが、その下端を前記空隙部分底部に露出したコンテナ内底面に当接させることにより、その下端を前記空隙部分に嵌入、係止させる構造のものであることを特徴とする請求項１、２又は３記載のきのこ栽培方法に用いる差込ブロック。
【請求項８】
前記コンテナ内に収容した複数本のきのこ栽培瓶の間に複数列又は１列に存在する４方をきのこ栽培瓶の瓶胴部で囲まれた複数の各空隙部分に下端をそれぞれ嵌入、係止させて、その各空隙部分上方に上端を起立させる複数の差込ブロックが、前記コンテナ内に収容した複数本のきのこ栽培瓶の瓶口の間を縫ってコンテナ内に配置される支持枠を介して互いに連結されたことを特徴とする請求項１、２又は３記載のきのこ栽培方法に用いる差込ブロック。
【発明の詳細な説明】
【技術分野】
【０００１】
本発明は、籠状をしたコンテナ内に並べて収容した複数本の各きのこ栽培瓶に充填された培地から発芽させたきのこを、そのきのこ栽培瓶の瓶口を通して、きのこ栽培瓶の上方に収穫するまでに大きく生育させるきのこ栽培方法と、該方法に用いるカバー及び差込ブロックに関する。
【背景技術】
【０００２】
えのき茸等のきのこは、一般に、図９に示したような、広口のきのこ栽培瓶２０に充填された培地（図示せず）を用いて、人工栽培している。具体的には、きのこ栽培瓶２０に充填された培地にえのき茸等のきのこの菌糸を接種して蔓延させた後、そのきのこの菌糸を蔓延させた培地からきのこ３０を発芽させている。そして、そのきのこ３０を、きのこ栽培瓶の瓶口２２を通して、きのこ栽培瓶２０の上方に収穫するまでに大きく生育している。
【０００３】
この培地から発芽させたきのこ３０を、きのこ栽培瓶の瓶口２２を通して、きのこ栽培瓶２０の上方に生育させる際には、一般に、図９に示したように、扇状をした巻紙４０を、きのこ栽培瓶の瓶口２２周囲にラッパ筒状に起立させて巻き付けている。そして、その瓶口２２の上方周囲をラッパ筒状に囲む巻紙内側空間４２で、きのこ栽培瓶２０の上方に伸長するきのこ３０を、生育している。
そして、そのきのこ栽培瓶２０の上方に伸長するきのこ３０周囲を、瓶口２２の上方周囲をラッパ筒状に囲む巻紙４０内側壁により支持し続けている。そして、そのきのこ栽培瓶２０の上方に伸長するきのこ３０が、きのこ栽培瓶２０の周囲に倒れて、垂れ下がった状態となるのを、防いでいる。
そして、そのきのこ栽培瓶２０の上方に伸長するきのこ３０を、きのこ栽培瓶２０の周囲に倒れさせずに、真っすぐに体裁よく生育している。
【０００４】
ところで、このきのこ栽培瓶の瓶口２２周囲に巻紙４０をラッパ筒状に起立させて巻き付ける巻紙作業は、多大な手数と時間を要し、えのき茸等のきのこ栽培の省力化、容易化を図る際の、大きなネックとなっていた。
【０００５】
このような課題を解消するための方法としては、特開２００１−１６９６６２号公報記載のきのこ栽培方法がある。
この方法では、図１０と図１１に示したように、ほぼ方形籠状をした底浅のコンテナ１０内に同一形状をした同一大きさの複数本のきのこ栽培瓶２０を、その円筒状をした瓶胴部２４の一部を互いに密接させた状態で、前後及び左右に複数列に整列させて並べて収容している。そして、そのコンテナ１０内の複数本の各きのこ栽培瓶の中心軸２８間を結ぶ線が、図１０に破線で示したように、正方形を隙間なく前後及び左右に整列させて並べた形状をなすようにしている。それと共に、コンテナ１０内４方の最外側に並ぶ複数本のきのこ栽培瓶の瓶胴部２４とそれに対向するコンテナ１０内側壁との間に、ほぼＬ字帯板状をした４枚のカバー５０ａ、５０ｂ、５０ｃ、５０ｄの下端壁５２をそれぞれ挿入、係止させている。そして、そのコンテナ１０内側壁の上方にそれぞれほぼ垂直に起立させた４枚のカバー５０ａ、５０ｂ、５０ｃ、５０ｄの上端壁５４により、コンテナ１０内側壁の上方周囲をほぼ方形筒状に連続して囲んだ状態としている。
このきのこ栽培方法によれば、そのコンテナ１０内に収容したきのこ栽培瓶の瓶口２２を通して、きのこ栽培瓶２０の上方に伸長させるきのこ３０周囲のうちの、コンテナ１０内の内側に並ぶきのこ栽培瓶２０の上方に伸長させるきのこ３０周囲を、そのきのこ栽培瓶２０の左右方向及び前後方向に隣り合って並ぶ同じコンテナ１０内の他のきのこ栽培瓶２０の上方にほぼ同じ生長速度で伸長するきのこ３０により支持し続けることができる。他方、コンテナ１０内の最外側に並ぶきのこ栽培瓶２０の上方に伸長するきのこ３０のコンテナ１０外方を向く周囲部分は、コンテナ１０内側壁の上方周囲をほぼ方形筒状に連続して囲むカバーの上端壁５４により、支持し続けることができる。それと共に、そのコンテナ１０内の最外側に並ぶきのこ栽培瓶２０の上方に伸長するきのこ３０周囲のうちの、コンテナ１０外方を向く部分以外の、きこの３０周囲部分を、そのきのこ栽培瓶２０の左右方向及び後方に隣り合って並ぶ同じコンテナ１０内の他のきのこ栽培瓶２０の上方にほぼ同じ生長速度で伸長するきのこ３０により支持し続けることができる。
その結果、そのコンテナ１０内に並べて収容した複数本の全てのきのこ栽培瓶２０の上方に伸長するきのこ３０の多くを、きのこ栽培瓶２０の周囲に垂れ下がらせずに、上方に向けて真っすぐに体裁よく生育できる。
また、この方法によれば、そのコンテナ１０内に並べて収容する複数本の各きのこ栽培瓶の瓶口２２周囲に、巻紙４０をラッパ筒状に起立させて巻き付ける、多大な手数と時間を要する巻紙作業を無くして、えのき茸等のきのこ栽培作業の大幅な省力化、容易化が図れる。
【特許文献１】特開２００１−１６９６６２号公報
【発明の開示】
【発明が解決しようとする課題】
【０００６】
しかしながら、上記の方法により、コンテナ１０内に並べて収容した複数本の全てのきのこ栽培瓶２０の上方に伸長するきのこ３０の多くを、きのこ栽培瓶２０の周囲に垂れ下がらせずに、上方に向けて真っすぐに生育した場合には、そのコンテナ１０内の前後及び左右に整列させて並べて収容した複数本のきのこ栽培瓶２０の間に、その４方がきのこ栽培瓶の瓶胴部２４で囲まれた空隙部分１４が大きく生じてしまった。
そのために、そのコンテナ１０内に並べて収容したきのこ栽培瓶２０の上方に伸長するきのこ３０周囲のうちの、上記空隙部分１４内方を向くきのこ３０周囲部分を、そのきのこ栽培瓶２０に隣り合って並ぶ同じコンテナ１０内の他のきのこ栽培瓶２０の上方にほぼ同じ生長速度で伸長するきのこ３０により上方に向けて確実に支持できなかった。そして、そのために、そのきのこ栽培瓶２０の上方に株状になって伸長するえのき茸等のきのこ３０の一部が、上記空隙部分１４内方に向けて斜めに傾く等してしまった。
【０００７】
本発明は、このような課題を解消可能な、コンテナ内に前後及び左右に整列させて並べて収容した複数本の各きのこ栽培瓶の上方に伸長するきのこ周囲の全体を上方に向けて余すところなく確実に支持し続けて、そのコンテナ内に収容した複数本の各きのこ栽培瓶の上方に伸長するきのこの全てを上方に向けて真っ直ぐに体裁よく生育させることのできるきのこ栽培方法と、該栽培方向に用いるカバー及び差込ブロックを提供することを、目的としている。
【課題を解決するための手段】
【０００８】
このような目的を達成するために、本発明のきのこ栽培方法は、籠状をしたコンテナ内に、同一形状をした同一大きさの複数本のきのこ栽培瓶を、その瓶上部をコンテナ上方に突出させた状態で並べて収容して、前記きのこ栽培瓶に充填された培地から発芽させたきのこを、きのこ栽培瓶の瓶口を通して、きのこ栽培瓶の上方に生育するきのこ栽培方法であって、
前記同一形状をした同一大きさの複数本のきのこ栽培瓶を、その隣り合う各きのこ栽培瓶の中心軸間を結ぶ線が正方形を隙間なく前後及び左右に整列させて並べた形状をなすように、その隣り合う各きのこ栽培瓶の瓶胴部の一部を互いに密接させた状態で、前記コンテナ内に前後及び左右に複数列に整列させて並べて収容し、かつ、そのコンテナ内の最外側に並ぶ複数本の各きのこ栽培瓶のコンテナ外方を向く瓶口上端縁外側近くからその上方にかけての部分を起立壁によりそれぞれ囲むと共に、前記コンテナ内に前後及び左右に整列させて並べて収容した複数本のきのこ栽培瓶の間に存在する４方をきのこ栽培瓶の瓶胴部で囲まれた複数の各空隙部分に、差込ブロックの下端をそれぞれ嵌入、係止させて、その空隙部分上方に起立させた差込ブロックの上端周囲面により、その空隙部分４方の各きのこ栽培瓶の空隙部分内方を向く瓶口外側上端縁近くからその上方にかけての部分をそれぞれ囲んだ状態で、そのコンテナ内に並べて収容した複数本の各きのこ栽培瓶に充填された培地から発芽させたきのこを、そのきのこ栽培瓶の瓶口を通して、きのこ栽培瓶の上方に生育することを特徴としている。
【０００９】
このきのこ栽培方法においては、そのコンテナ内の前後及び左右に整列させて並べて収容した複数本のきのこ栽培瓶の間に存在する４方をきのこ栽培瓶の瓶胴部で囲まれた空隙部分に、その下端を嵌入、係止させて、その空隙部分上方に起立させた差込ブロックの上端周囲面により、その空隙部分４方の各きのこ栽培瓶の空隙部分内方を向く瓶口外側上端縁近くからその上方にかけての部分を、それぞれ囲んだ状態とすることができる。そして、その空隙部分４方の各きのこ栽培瓶の上方に生育するきのこ周囲のうちの、空隙部分内方を向くきのこ周囲部分を、上記差込ブロックの上端周囲面により上方に向けて確実に支持できる。そして、そのきのこ周囲部分が、空隙部分内方に向けて傾く等するのを、確実に防ぐことができる。
また、そのきのこ栽培瓶の上方に伸長するきのこ周囲のうちの、上記空隙部分内方を向くきのこ周囲部分以外のきのこ周囲部分は、そのきのこ栽培瓶に隣り合って並ぶ同じコンテナ内の他のきのこ栽培瓶の上方にほぼ同じ生長速度で伸長するきのこにより上方に向けて確実に支持できる。
【００１０】
さらに、そのコンテナ内の最外側に並ぶきのこ栽培瓶の上方に伸長するきのこ周囲のうちの、他のきのこ栽培瓶の上方に伸長するきのこが隣り合って存在しない、コンテナ外方を向くきのこ周囲部分を、そのコンテナ内の最外側に並ぶきのこ栽培瓶のコンテナ外方を向く瓶口外側上端縁近くからその上方にかけての部分を囲む起立壁により、上方に向けて確実に支持できる。それと共に、そのコンテナ内の最外側に並ぶきのこ栽培瓶の上方に伸長するきのこ周囲のうちの、コンテナ外方を向く部分以外の、左右方向及び後方を向くきのこ周囲部分を、その最外側のきのこ栽培瓶の左右方向及び後方に隣り合って並ぶ同じコンテナ内の他のきのこ栽培瓶の上方にほぼ同じ生長速度で伸長するきのこにより上方に向けて確実に支持できる。加えて、そのコンテナ内の最外側に並ぶきのこ栽培瓶の上方に伸長するきのこ周囲のうちの、斜め後方を向くきのこ周囲部分を、その最外側のきのこ栽培瓶の瓶胴部で囲まれた上記空隙部分に、その下端を嵌入、係止させて、その空隙部分上方に起立させた差込ブロックの上端周囲面により、きのこ栽培瓶の周囲に垂れ下がらぬように、上方に向けて確実に支持できる。
【００１１】
その結果、このきのこ栽培方法においては、そのコンテナ内に前後及び左右に整列させて並べて収容した複数本の各きのこ栽培瓶の上方に伸長する全てのきのこ周囲の全体を余すところなく上方に向けて確実に支持し続けて、それらのきのこの全てを、きのこ栽培瓶の上方に向けて真っ直ぐに体裁よく生育できる。
【００１２】
本発明のきのこ栽培方法において、起立壁には、コンテナ内の最外側に並ぶ複数本のきのこ栽培瓶の瓶胴部とそれに対向するコンテナ内側壁との間の隙間に、その下端壁を押入、係止させて、その上端壁をコンテナ内側壁の上方に起立させた状態とするカバーであって、
そのコンテナ内側壁の上方に起立させた状態とする上端壁内側面が、コンテナ内の最外側に並ぶ複数本の各きのこ栽培瓶のコンテナ外方を向く瓶口外側上端縁近くからその上方にかけての部分をそれぞれ囲む凹凸面を持つカバーを用いるのが良い。
そうした場合には、そのカバーの下端壁を、コンテナ内の最外側に並ぶ複数本のきのこ栽培瓶の瓶胴部とそれに対向するコンテナ内側壁との間の隙間に押入、係止させることができる。そして、そのカバーの上端壁を、コンテナ内側壁の上方に起立させた状態とすることができる。
そして、そのコンテナ内側壁の上方に起立させた状態としたカバーの凹凸面を持つ上端壁内側面により、コンテナ内の最外側に並ぶ複数本の各きのこ栽培瓶のコンテナ外方を向く瓶口外側上端縁近くからその上方にかけての部分をそれぞれ囲むことができる。そして、そのカバーの凹凸面を持つ上端壁内側面により、コンテナ内の最外側に並ぶきのこ栽培瓶の上方に伸長するきのこ周囲のうちの、他のきのこ栽培瓶の上方に伸長するきのこが隣り合って存在しない、コンテナ外方を向くきのこ周囲部分を、きのこ栽培瓶の周囲に垂れ下がらぬように、上方に向けて確実に支持できる。
【００１３】
本発明のきのこ栽培方法においては、複数本のきのこ栽培瓶を収容するコンテナに、ほぼ方形籠状をしたコンテナを用いると良いが、場合によっては、６角籠形などの多角籠状、円形籠状等をしたコンテナを用いることも可能である。
【００１４】
ほぼ方形籠状をしたコンテナを用いる本発明のきのこ栽培方法において、起立壁として用いるカバーは、ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、そのコンテナ４方の内側壁上方にそれぞれ起立させた上端壁により、ほぼ方形籠形状をしたコンテナ内側壁の上方周囲をほぼ方形筒状に連続して囲むほぼＬ字帯板状をした４枚の分離カバーからなるものであって、
その４枚の各分離カバーが、ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、その上端壁をコンテナ内４方の内側壁上方にそれぞれ起立させた状態とするための係止手段を持つと共に、
そのコンテナ内４方の内側壁上方にそれぞれ起立させた状態とする４枚の各分離カバーの上端壁内側面が、コンテナ内４方の最外側に並ぶ複数本の各きのこ栽培瓶のコンテナ外方を向く瓶口外側上端縁近くからその上方にかけての部分をそれぞれ囲む凹凸面を持つ構造のものとすると良い。
【００１５】
そうした場合には、そのカバーを構成しているほぼＬ字帯板状をした４枚の各分離カバーの下端壁を、係止手段により、ほぼ方形籠状をしたコンテナ内４方の最外側に並ぶ複数本のきのこ栽培瓶の瓶胴部とそれに対向するコンテナ内側壁との間の隙間にそれぞれ押入、係止させて、その４枚の各分離カバー壁の上端壁を、コンテナ内４方の内側壁上方にそれぞれ起立させた状態とすることができる。そして、そのコンテナ内４方の内側壁の上方にそれぞれ起立させたほぼＬ字帯板状をした４枚の各分離カバー壁の上端壁により、ほぼ方形籠状をしたコンテナ内側壁の上方周囲をほぼ方形筒状に連続して囲むことができる。
それと共に、そのコンテナ内４方の内側壁上方にそれぞれ起立させた状態とした４枚の各分離カバー壁の凹凸面を持つ上端壁内側面により、コンテナ内４方の最外側に並ぶ複数本の各きのこ栽培瓶のコンテナ外方を向く瓶口外側上端縁近くからその上方にかけての部分をそれぞれ囲むことができる。そして、その４枚の各分離カバーの凹凸面を持つ上端壁内側面により、コンテナ内４方の最外側に並ぶ複数本の各きのこ栽培瓶の上方に伸長するきのこ周囲のうちの、他のきのこ栽培瓶の上方に伸長するきのこが隣り合って存在しない、コンテナ外方を向くきのこ周囲部分を、きのこ栽培瓶の周囲に垂れ下がらぬように、上方に向けて確実に支持できる。
【００１６】
ほぼ方形籠状をしたコンテナを用いる本発明のきのこ栽培方法において、起立壁として用いるカバーは、ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、そのコンテナ左右の内側壁上方にそれぞれ起立させた上端壁により、ほぼ方形籠形状をしたコンテナ内側壁の上方周囲をほぼ方形筒状に連続して囲むほぼコの字帯板状をした２枚の分離カバーからなるものであって、
その２枚の各分離カバーが、ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、その上端壁をコンテナ内左右の内側壁上方にそれぞれ起立させた状態とするための係止手段を持つと共に、
そのコンテナ内左右の内側壁上方にそれぞれ起立させた状態とする２枚の各分離カバーの上端壁内側面が、コンテナ内左右の最外側に並ぶ複数本の各きのこ栽培瓶のコンテナ外方を向く瓶口外側上端縁近くからその上方にかけての部分をそれぞれ囲む凹凸面を持つ構造のものとしても良い。
【００１７】
そうした場合には、そのカバーを構成しているほぼコの字帯板状をした２枚の各分離カバーの下端壁を、係止手段により、ほぼ方形籠状をしたコンテナ内左右の最外側に並ぶ複数本のきのこ栽培瓶の瓶胴部とそれに対向するコンテナ内側壁との間の隙間にそれぞれ押入、係止させて、その２枚の各分離カバーの上端壁を、コンテナ内左右の内側壁上方にそれぞれ起立させた状態とすることができる。そして、そのコンテナ内左右の内側壁の上方にそれぞれ起立させたほぼコの字帯板状をした２枚の各分離カバーの上端壁により、ほぼ方形籠状をしたコンテナ内側壁の上方周囲をほぼ方形筒状に連続して囲むことができる。
それと共に、そのコンテナ内左右の内側壁上方にそれぞれ起立させた状態とした２枚の各分離カバーの凹凸面を持つ上端壁内側面により、コンテナ内左右の最外側に並ぶ複数本の各きのこ栽培瓶のコンテナ外方を向く瓶口外側上端縁近くからその上方にかけての部分をそれぞれ囲むことができる。そして、その２枚の各分離カバーの凹凸面を持つ上端壁内側面により、コンテナ内左右の最外側に並ぶ複数本の各きのこ栽培瓶の上方に伸長するきのこ周囲のうちの、他のきのこ栽培瓶の上方に伸長するきのこが隣り合って存在しない、コンテナ外方を向くきのこ周囲部分を、きのこ栽培瓶の周囲に垂れ下がらぬように、上方に向けて確実に支持できる。
【００１８】
本発明のきのこ栽培方法に用いる差込ブロックは、その下端周囲を前記空隙部分４方のきのこ栽培瓶の瓶肩部に掛止することにより、その下端を前記空隙部分に嵌入、係止させる構造のものとすると良い。
【００１９】
そうした場合には、その差込ブロックの下端を４方をきのこ栽培瓶の瓶胴部で囲まれた空隙部分に嵌入して、その空隙部分４方のきのこ栽培瓶の瓶肩部に差込ブロックの下端周囲を掛止させることができる。そして、その差込ブロックの下端をきのこ栽培瓶の瓶胴部で囲まれた空隙部分に下方等に動かぬように嵌入、係止させて、その空隙部分上方に差込ブロックの上端を起立させた状態とすることができる。そして、その差込ブロックの上端周囲面により、４方をきのこ栽培瓶の瓶胴部で囲まれた空隙部分４方の各きのこ栽培瓶の空隙部分内方を向く瓶口外側上端縁近くからその上方にかけての部分を囲むことができる。
【００２０】
本発明のきのこ栽培方法に用いる差込ブロックは、その下端を前記空隙部分底部に露出したコンテナ内底面に当接させることにより、その下端を前記空隙部分に嵌入、係止させる構造のものとしても良い。
【００２１】
そうした場合には、その差込ブロックの下端を４方をきのこ栽培瓶の瓶胴部で囲まれた空隙部分に嵌入して、その差込ブロックの下端を空隙部分底部に露出したコンテナ内底面に当接させることができる。そして、その差込ブロックの下端をきのこ栽培瓶の瓶胴部で囲まれた空隙部分に下方等に動かぬように嵌入、係止させて、その空隙部分上方に差込ブロックの上端を起立させた状態とすることができる。そして、その差込ブロックの上端周囲面により、４方をきのこ栽培瓶の瓶胴部で囲まれた空隙部分４方の各きのこ栽培瓶の空隙部分内方を向く瓶口外側上端縁近くからその上方にかけての部分を囲むことができる。
【００２２】
本発明のきのこ栽培方法に用いる差込ブロックは、そのコンテナ内に収容した複数本のきのこ栽培瓶の間に複数列又は１列に存在する４方をきのこ栽培瓶の瓶胴部で囲まれた複数の各空隙部分に下端をそれぞれ嵌入、係止させて、その各空隙部分上方に起立させる複数の差込ブロックが、前記コンテナ内に収容した複数本のきのこ栽培瓶の瓶口の間を縫ってコンテナ内に配置される支持枠を介して互いに連結された構造とすると良い。
【００２３】
そうした場合には、その支持枠を介して互いに連結された複数の差込ブロックの下端のそれぞれを、コンテナ内に収容した複数本のきのこ栽培瓶の間に複数列又は１列に存在する４方をきのこ栽培瓶の瓶胴部で囲まれた複数の各空隙部分に嵌入、係止させる場合に、支持枠をコンテナ内に収容した複数本のきのこ栽培瓶の瓶口の間を縫って、コンテナ内に配置することができる。そして、その支持枠を介して互いに連結された差込ブロックの下端のそれぞれを、コンテナ内に収容した複数本のきのこ栽培瓶の間に複数列又は１列に存在する４方をきのこ栽培瓶の瓶胴部で囲まれた複数の各空隙部分に一度に同時に嵌入、係止させることができる。そして、その支持枠を介して互いに連結された複数の差込ブロックの上端を、コンテナ内に収容した複数本のきのこ栽培瓶の間に複数列又は１列に存在する４方をきのこ栽培瓶の瓶胴部で囲まれた複数の各空隙部分の上方に手数と時間を掛けずに一度に起立させた状態とすることができる。
【発明の効果】
【００２４】
以上説明したように、本発明のきのこ栽培方法によれば、籠状をしたコンテナ内に前後及び左右に整列させて並べて収容した複数本の各きのこ栽培瓶の上方に伸長するきのこ周囲の全体を余すところなく上方に向けて確実に支持できる。そして、その複数本の各きのこ栽培瓶の上方に伸長するきのこの全てを、きのこ栽培瓶の周囲に垂れ下がらせずに、上方に向けて真っすぐに体裁よく生育することが可能となる。
また、本発明のカバーや差込ブロックを用いれば、本発明のきのこ栽培方法により、籠状をしたコンテナ内に前後及び左右に整列させて並べて収容した複数本の各きのこ栽培瓶に充填された培地から発芽させたえのき茸等のきのこの全てを、手数と時間を掛けずに、上方に向けて真っすぐに体裁よく容易かつ的確に生育することが可能となる。
【発明を実施するための最良の形態】
【００２５】
次に、本発明の実施の形態を図面に従い説明する。
図１ないし図４は本発明のきのこ栽培方法の好適な実施の形態を示し、図１はそのきのこ栽培方法を示す平面図、図２はそのきのこ栽培方法を示す一部破断正面図、図３はその差込ブロックの使用状態説明図、図４はその差込ブロックの斜視図である。以下に、このきのこ栽培方法を説明する。
【００２６】
このきのこ栽培方法においては、ほぼ方形籠状をした底浅のプラスチック製のコンテナ１０内に、同一形状をした同一大きさのポリプロピレン製の広口の複数本のきのこ栽培瓶２０を、その瓶上部をコンテナ１０上方に突出させた状態で並べて収容している。そして、そのコンテナ１０内に収容したきのこ栽培瓶２０に充填された培地（図示せず）から発芽させたきのこ３０を、きのこ栽培瓶の瓶口２２を通して、きのこ栽培瓶２０の上方に生育している。
以上の方法は、既述従来のきのこ栽培方法と同様であるが、このきのこ栽培方法では、その際に、図１に破線等で示したように、同一形状をした同一大きさの複数本のきのこ栽培瓶２０を、その隣り合う各きのこ栽培瓶の中心軸２８間を結ぶ線が正方形を隙間なく前後及び左右に整列させて並べた形状をなすように、その隣り合う各きのこ栽培瓶の瓶胴部２４の一部を互いに密接させた状態で、コンテナ１０内に前後及び左右に複数列に整列させて並べて収容している。
また、そのコンテナ１０内の最外側に並ぶ複数本の各きのこ栽培瓶２０のコンテナ１０外方を向く瓶口２２上端縁外側近くからその上方にかけての部分を起立壁５０によりそれぞれ囲んでいる。
それと共に、そのコンテナ１０内に前後及び左右に整列させて並べて収容した複数本のきのこ栽培瓶２０の間に存在する４方をきのこ栽培瓶の瓶胴部２４で囲まれた複数の各空隙部分１４に、図３に示したように、差込ブロック６０の下端６２をそれぞれ嵌入、係止させて、その各空隙部分１４上方に差込ブロックの上端６４を起立させた状態としている。そして、その差込ブロックの上端６４周囲面により、図２に示したように、その空隙部分１４の４方の各きのこ栽培瓶２０の空隙部分１４内方を向く瓶口２２外側上端縁近くからその上方にかけての部分をそれぞれ囲んだ状態としている。
そして、そのコンテナ１０内に前後及び左右に整列させて並べて収容した複数本の各きのこ栽培瓶２０に充填された培地から発芽させたきのこ３０を、そのきのこ栽培瓶の瓶口２２を通して、きのこ栽培瓶２０の上方に生育している。
【００２７】
図１ないし図４に示したきのこ栽培方法は、以上のステップからなっていて、このきのこ栽培方法においては、そのコンテナ１０内の前後及び左右に整列させて並べて収容した複数本のきのこ栽培瓶２０の間に存在する４方をきのこ栽培瓶の瓶胴部２４で囲まれた空隙部分１４に、その下端６２を嵌入、係止させて、その空隙部分１４上方に起立させた差込ブロックの上端６４周囲面により、その空隙部分１４の４方の各きのこ栽培瓶２０の空隙部分１４内方を向く瓶口２２外側上端縁近くからその上方にかけての部分を、それぞれ囲んだ状態とすることができる。そして、その空隙部分１４の４方の各きのこ栽培瓶２０の上方に生育するきのこ３０周囲のうちの、空隙部分１４内方を向くきのこ３０周囲部分を、上記差込ブロックの上端６４周囲面により上方に向けて確実に支持できる。そして、そのきのこ３０周囲部分が、空隙部分１４内方に向けて傾く等するのを、確実に防ぐことができる。
また、そのきのこ栽培瓶２０の上方に伸長するきのこ３０周囲のうちの、上記空隙部分１４内方を向く部分以外のきのこ３０周囲部分は、そのきのこ栽培瓶２０に隣り合って並ぶ同じコンテナ１０内の他のきのこ栽培瓶２０の上方にほぼ同じ生長速度で伸長するきのこ３０により上方に向けて確実に支持できる。
【００２８】
さらに、そのコンテナ１０内の最外側に並ぶきのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、そのコンテナ１０内の最外側に並ぶきのこ栽培瓶２０のコンテナ１０外方を向く瓶口２２外側上端縁近くからその上方にかけての部分を囲む起立壁５０により、上方に向けて確実に支持できる。それと共に、そのコンテナ１０内の最外側に並ぶきのこ栽培瓶２０の上方に伸長するきのこ３０周囲のうちの、コンテナ１０外方を向く部分以外の、左右方向及び後方を向くきのこ３０周囲部分を、そのきのこ栽培瓶２０の左右方向及び後方に隣り合って並ぶ同じコンテナ１０内の他のきのこ栽培瓶２０の上方にほぼ同じ生長速度で伸長するきのこ３０により上方に向けて確実に支持できる。加えて、そのコンテナ１０内の最外側に並ぶきのこ栽培瓶２０の上方に伸長するきのこ３０周囲のうちの、斜め後方を向くきのこ３０周囲部分を、その最外側のきのこ栽培瓶の瓶胴部２４が囲む空隙部分１４に、その下端６２を嵌入、係止させて、その空隙部分１４上方に起立させた差込ブロック６０の上端６４周囲面により、きのこ栽培瓶２０の周囲に垂れ下がらぬように、上方に向けて確実に支持できる。
そして、そのコンテナ１０内に前後及び左右に整列させて並べて収容した複数本の各きのこ栽培瓶２０の上方に伸長する全てのきのこ３０周囲の全体を余すところなく上方に向けて確実に支持し続けて、それらのきのこ３０の全てを、きのこ栽培瓶２０の上方に上方に向けて真っ直ぐに体裁よく生育できる。
【００２９】
このきのこ栽培方法において、起立壁５０には、図１と図２に示したような、コンテナ１０内の最外側に並ぶ複数本のきのこ栽培瓶の瓶胴部２４とそれに対向するコンテナ１０内側壁との間の隙間１２に、その下端壁５２を押入、係止させて、その上端壁５４をコンテナ１０内側壁の上方に起立させた状態とするカバー５５を用いるのが良い。
また、カバー５５は、そのコンテナ１０内側壁の上方に起立させた状態とする上端壁５４内側面が、コンテナ１０内の最外側に並ぶ複数本の各きのこ栽培瓶２０のコンテナ１０外方を向く瓶口２２外側上端縁近くからその上方にかけての部分をそれぞれ囲む凹凸面５７を持つ構造とすると良い。
そして、図１に示したように、そのカバーの下端壁５２を、コンテナ１０内の最外側に並ぶ複数本のきのこ栽培瓶の瓶胴部２４とそれに対向するコンテナ１０内側壁との間の隙間１２に押入、係止させることができるようにすると良い。そして、そのカバーの上端壁５４を、コンテナ１０内側壁の上方に起立させた状態とすることができるようにすると良い。
それと共に、そのコンテナ１０内側壁の上方に起立させた状態としたカバーの凹凸面５７を持つ上端壁５４内側面により、コンテナ１０内の最外側に並ぶ複数本の各きのこ栽培瓶２０のコンテナ１０外方を向く瓶口２２外側上端縁近くからその上方にかけての部分をそれぞれ囲むことができるようにすると良い。そして、そのカバーの凹凸面５７を持つ上端壁５４内側面により、コンテナ１０内の最外側に並ぶきのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、きのこ栽培瓶２０の周囲に垂れ下がらぬように、上方に向けて確実に支持できるようにすると良い。
【００３０】
このきのこ栽培方法において、複数本のきのこ栽培瓶２０を並べて収容するコンテナ１０には、図１と図２に示したような、ほぼ方形籠状をしたコンテナを用いると良いが、場合によっては、６角籠形などの多角籠状、円形籠状等をしたコンテナを用いることもでき、そうした場合にも、上記と同様な作用、効果を持つきのこ栽培方法を実施できる。
【００３１】
図１と図２は本発明のカバーの好適な実施の形態を示し、図１はそのカバーの使用状態を示す平面図、図２はそのカバーの使用状態を示す正面図である。以下に、このカバーを説明する。
【００３２】
このカバー５５は、図１と図２に示したようなほぼ方形籠状をしたコンテナ１０を用いる本発明のきのこ栽培方法において、起立壁５０として利用されるものである。
このカバー５５は、ほぼ方形籠状をしたコンテナ１０内４方の最外側に並ぶ複数本のきのこ栽培瓶の瓶胴部２４とそれに対向するコンテナ１０内側壁との間の隙間１２に、その下端壁５２をそれぞれ押入、係止させて、そのコンテナ１０内４方の内側壁の上方にそれぞれ起立させた上端壁５４により、ほぼ方形籠状をしたコンテナ１０内側壁の上方周囲をほぼ方形筒状に連続して囲むほぼＬ字帯板状をした４枚の分離カバー５５ａ、５５ｂ、５５ｃ、５５ｄからなっている。
４枚の各分離カバー５５ａ、５５ｂ、５５ｃ、５５ｄは、ほぼ方形籠状をしたコンテナ１０内４方の最外側に並ぶ複数本のきのこ栽培瓶の瓶胴部２４とそれに対向するコンテナ１０内側壁との間の隙間１２に、その下端壁５２をそれぞれ押入、係止させて、その上端壁５４をコンテナ１０内４方の内側壁の上方にそれぞれ起立させた状態とするための係止手段７０を持っている。係止手段７０は、４枚の各分離カバー５５ａ、５５ｂ、５５ｃ、５５ｄの下端壁５２の中途部外側に突設された短丈の突条７２から構成されている。そして、その突条７２をスペーサに用いて、コンテナ１０内４方の最外側に並ぶ複数本のきのこ栽培瓶の瓶胴部２４とそれに対向するコンテナ１０内側壁との間の隙間１２に、各分離カバー５５ａ、５５ｂ、５５ｃ、５５ｄの下端壁５２をそれぞれ容易に抜け出ぬように押入、係止させることができる構造をしている。
それと共に、そのコンテナ１０内４方の内側壁の上方にそれぞれ起立させた状態とする４枚の各分離カバー５５ａ、５５ｂ、５５ｃ、５５ｄの上端壁５４内側面が、コンテナ１０内４方の最外側に並ぶ複数本の各きのこ栽培瓶２０のコンテナ１０外方を向く瓶口２２外側上端縁近くからその上方にかけての部分をそれぞれ囲む凹凸面５７を持っている。
【００３３】
図１と図２に示したカバーは、以上のように構成されていて、このカバーにおいては、図１と図２に示したように、そのカバー５５を構成している４枚の各分離カバー５５ａ、５５ｂ、５５ｃ、５５ｄの下端壁５２を、係止手段７０により、ほぼ方形籠状をしたコンテナ１０内４方の最外側に並ぶ複数本のきのこ栽培瓶の瓶胴部２４とそれに対向するコンテナ１０内側壁との間の隙間１２にそれぞれ押入、係止させて、その４枚の各分離カバー５５ａ、５５ｂ、５５ｃ、５５ｄの上端壁５４を、コンテナ１０内４方の内側壁の上方にそれぞれ起立させた状態とすることができる。そして、そのコンテナ１０内４方の内側壁の上方にそれぞれ起立させた４枚の各分離カバー５５ａ、５５ｂ、５５ｃ、５５ｄの上端壁５４により、ほぼ方形籠状をしたコンテナ１０内側壁の上方周囲をほぼ方形筒状に連続して囲むことができる。
それと共に、そのコンテナ１０内４方の内側壁の上方にそれぞれ起立させた状態とした４枚の各分離カバー５５ａ、５５ｂ、５５ｃ、５５ｄの凹凸面５７を持つ上端壁５４内側面により、コンテナ１０内４方の最外側に並ぶ複数本の各きのこ栽培瓶２０のコンテナ１０外方を向く瓶口２２外側上端縁近くからその上方にかけての部分をそれぞれ囲むことができる。そして、その４枚の各分離カバー５５ａ、５５ｂ、５５ｃ、５５ｄの凹凸面５７を持つ上端壁５４内側面により、コンテナ１０内４方の最外側に並ぶ複数本の各きのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、きのこ栽培瓶２０の周囲に垂れ下がらぬように、上方に向けて確実に支持できる。
【００３４】
図５は本発明のカバーの他の好適な実施の形態を示し、図５はそのカバーの使用状態を示す平面図である。以下に、このカバーを説明する。
【００３５】
このカバー５５も、図１と図２に示したようなほぼ方形籠状をしたコンテナ１０を用いる本発明のきのこ栽培方法において、起立壁５０として利用されるものである。
このカバー５５は、ほぼ方形籠状をしたコンテナ１０内左右の最外側に並ぶ複数本のきのこ栽培瓶の瓶胴部２４とそれに対向するコンテナ１０内側壁との間の隙間１２に、その下端壁５２をそれぞれ押入、係止させて、そのコンテナ１０内左右の内側壁の上方にそれぞれ起立させた上端壁５４により、ほぼ方形籠状をしたコンテナ１０内側壁の上方周囲をほぼ方形筒状に連続して囲むほぼコの字帯板状をした２枚の分離カバー５５ｅ、５５ｆからなっている。
２枚の各分離カバー５５ｅ、５５ｆは、ほぼ方形籠状をしたコンテナ１０内左右の最外側に並ぶ複数本のきのこ栽培瓶の瓶胴部２４とそれに対向するコンテナ１０内側壁との間の隙間１２に、その下端壁５２をそれぞれ押入、係止させて、その上端壁５４をコンテナ１０内左右の内側壁の上方にそれぞれ起立させた状態とするための係止手段７０を持っている。係止手段７０は、２枚の各分離カバー５５ｅ、５５ｆの下端壁５２の中途部外側に突設された短丈の突条７２から構成されている。そして、その突条７２をスペーサに用いて、コンテナ１０内左右の最外側に並ぶ複数本のきのこ栽培瓶の瓶胴部２４とそれに対向するコンテナ１０内側壁との間の隙間１２に、各分離カバー５５ｅ、５５ｆの下端壁５２をそれぞれ容易に抜け出ぬように押入、係止させることができる構造をしている。
それと共に、そのコンテナ１０内左右の内側壁の上方にそれぞれ起立させた状態とする２枚の各分離カバー５５ｅ、５５ｆの上端壁５４内側面が、コンテナ１０内左右の最外側に並ぶ複数本の各きのこ栽培瓶２０のコンテナ１０外方を向く瓶口２２外側上端縁近くからその上方にかけての部分をそれぞれ囲む凹凸面５７を持っている。
【００３６】
図５に示したカバーは、以上のように構成されていて、このカバーにおいては、図５に示したように、そのカバー５５を構成している２枚の各分離カバー５５ｅ、５５ｆの下端壁５２を、係止手段７０により、ほぼ方形籠状をしたコンテナ１０内左右の最外側に並ぶ複数本のきのこ栽培瓶の瓶胴部２４とそれに対向するコンテナ１０内側壁との間の隙間１２にそれぞれ押入、係止させて、その２枚の各分離カバー５５ｅ、５５ｆの上端壁５４を、コンテナ１０内左右の内側壁の上方にそれぞれ起立させた状態とすることができる。そして、そのコンテナ１０内左右の内側壁の上方にそれぞれ起立させたほぼコの字帯板状をした２枚の各分離カバー５５ｅ、５５ｆの上端壁５４により、ほぼ方形籠状をしたコンテナ１０内側壁の上方周囲をほぼ方形筒状に連続して囲むことができる。
それと共に、そのコンテナ１０内左右の内側壁の上方にそれぞれ起立させた状態とした２枚の各分離カバー５５ｅ、５５ｆの凹凸面５７を持つ上端壁５４内側面により、コンテナ１０内左右の最外側に並ぶ複数本の各きのこ栽培瓶２０のコンテナ１０外方を向く瓶口２２外側上端縁近くからその上方にかけての部分をそれぞれ囲むことができる。そして、その２枚の各分離カバー５５ｅ、５５ｆの凹凸面５７を持つ上端壁５４内側面により、コンテナ１０内左右の最外側に並ぶ複数本の各きのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、きのこ栽培瓶２０の周囲に垂れ下がらぬように、上方に向けて確実に支持できる。
【００３７】
図３と図４は本発明の差込ブロックの好適な実施の形態を示し、図３はその使用状態説明図、図４はその斜視図である。以下に、この差込ブロックを説明する。
【００３８】
この差込ブロック６０は、本発明のきのこ栽培方法に用いるものであって、その下端６２周囲をきのこ栽培瓶の瓶胴部２４で囲まれた空隙部分１４の４方のきのこ栽培瓶の瓶肩部２５に掛止することにより、その下端６４を空隙部分１４に嵌入、係止させる構造をしている。
具体的には、直方体６３上面に四角錐６５が一連に積層されると共に、直方体６３下面中央に十字枠棒６７が延設された形状をしている。
【００３９】
図３と図４に示した差込ブロック６０は、以上のように構成されていて、この差込ブロック６０においては、その下端の十字枠棒６７を４方をきのこ栽培瓶の瓶胴部２４で囲まれた空隙部分１４に嵌入して、その空隙部分１４の４方のきのこ栽培瓶の瓶肩部２５に、差込ブロック下端の直方体６３下面周囲を掛止させることができる。そして、その差込ブロックの下端６２をきのこ栽培瓶の瓶胴部２４で囲まれた空隙部分１４に下方等に動かぬように嵌入、係止させて、その空隙部分１４上方に差込ブロック上端の四角錐６５を起立させた状態とすることができる。そして、その四角錐６５の各側面により、空隙部分１４の４方の各きのこ栽培瓶２０の空隙部分１４内方を向くの瓶口２２外側上端縁近くからその上方にかけての部分をそれぞれ囲んだ状態とすることができる。
【００４０】
図６と図７は本発明の差込ブロックの他の好適な実施の形態を示し、図６はその使用状態説明図、図７はその斜視図である。以下に、この差込ブロックを説明する。
【００４１】
この差込ブロック６０も、本発明のきのこ栽培方法に用いるものであって、その下端６２を４方をきのこ栽培瓶の瓶胴部２４で囲まれた空隙部分１４底部に露出したコンテナ１０内底面に当接させることにより、その下端６２を空隙部分１４に嵌入、係止させる構造をしている。
具体的には、図７に示したように、断面が４角星型をしていて、その上部中途部が外方に膨出した紡錘形状をしている。
【００４２】
図６と図７に示した差込ブロック６０は、以上のように構成されていて、この差込ブロック６０においては、図６に示したように、その差込ブロックの下端６２を４方をきのこ栽培瓶の瓶胴部２４で囲まれた空隙部分１４に嵌入して、その差込ブロックの下端６２を空隙部分１４底部に露出したコンテナ１０内底面に当接させることができる。そして、その差込ブロックの下端６２をきのこ栽培瓶の瓶胴部２４で４方が囲まれた空隙部分１４に下方等に動かぬように嵌入、係止させて、その空隙部分１４上方に差込ブロックの上端６４を起立させた状態とすることができる。そして、その差込ブロック６０の断面が４角星型をした上端６４周囲の各側面により、空隙部分１４の４方の各きのこ栽培瓶の空隙部分１４内方を向く瓶口２２外側上端縁近くからその上方にかけての部分をそれぞれ囲んだ状態とすることができる。
【００４３】
本発明のきのこ栽培方法に用いる、本発明の差込ブロックにおいては、図８に示したように、コンテナ１０内に収容した複数本のきのこ栽培瓶２０の間に複数列又は一列に存在する４方をきのこ栽培瓶の瓶胴部２４で囲まれた複数の各空隙部分１４に下端６２をそれぞれ嵌入、係止させて、その各空隙部分１４上方に上端６４を起立させる複数の差込ブロック６０を、コンテナ１０内に収容した複数本のきのこ栽培瓶の瓶口２２の間を縫ってコンテナ１０内に配置される支持枠８０を介して互いに連結した構造とすると良い。
そして、その支持枠８０を介して互いに連結された複数の差込ブロックの下端６２のそれぞれを、コンテナ１０内に収容した複数本のきのこ栽培瓶２０の間に複数列又は一列に存在する４方をきのこ栽培瓶の瓶胴部２４で囲まれた複数の各空隙部分１４に嵌入、係止させる場合に、支持枠８０をコンテナ１０内に収容した複数本のきのこ栽培瓶の瓶口２２の間を縫ってコンテナ１０内に配置すると良い。そして、その支持枠８０を介して互いに連結された差込ブロックの下端６２のそれぞれを、コンテナ１０内に収容した複数本のきのこ栽培瓶２０の間に複数列又は一列に存在する４方をきのこ栽培瓶の瓶胴部２４で囲まれた複数の各空隙部分１４に一度に同時に嵌入、係止させることができるようにすると良い。そして、その支持枠８０を介して互いに連結された複数の差込ブロックの上端６４を、そのコンテナ１０内に収容した複数本のきのこ栽培瓶２０の間に複数列又は一列に存在する４方をきのこ栽培瓶の瓶胴部２４で囲まれた複数の各空隙部分１４の上方に手数と時間を掛けずに一度に起立させた状態とすることができるようにすると良い。
【００４４】
具体的には、図８に示したように、複数の差込ブロック６０を、コンテナ１０内に並べて収容した複数本のきのこ栽培瓶の瓶口２２の間を縫ってコンテナ１０内の前後左右に配置される格子枠状をした支持枠８０の各交点部分に、支持枠８０を上下に貫いて、その下端６２を支持枠８０下方に突出させると共に、その上端６４を支持枠８０上方に突出させた状態でそれぞれ装着すると良い。
そして、その格子枠状をした支持枠８０をコンテナ１０内に並べて収容した複数本のきのこ栽培瓶の瓶口２２の間を縫ってコンテナ１０内に前後左右に配置できるようにすると良い。そして、コンテナ１０内に並べて収容した複数本のきのこ栽培瓶２０の間に複数列に存在する４方をきのこ栽培瓶の瓶胴部２４で囲まれた複数の各空隙部分１４のそれぞれに、その格子状をした支持枠８０の交点部分に支持された複数の各差込ブロックの下端６２を一度に同時に嵌入、係止させて、その複数の各差込ブロックの上端６４をコンテナ１０内に並べて収容した複数本のきのこ栽培瓶２０の間に複数列に存在する４方をきのこ栽培瓶の瓶胴部２４で囲まれた複数の各空隙部分１４の上方に一度に起立させた状態とすることができるようにすると良い。
【００４５】
あるいは、複数の差込ブロック６０を、コンテナ１０内に並べて収容した複数本のきのこ栽培瓶の瓶口２２の間を縫ってコンテナ１０内の前後又は左右に配置する直線状をした支持枠８０に、その下端６２を支持枠８０下方に突出させると共に、その上端６４を支持枠８０上方に突出させた状態で、支持枠８０を上下に貫いて所定のピッチで並べて装着すると良い。
そして、その直線状をした支持枠８０をコンテナ１０内に並べて収容した複数本のきのこ栽培瓶の瓶口２２の間を縫ってコンテナ１０内の前後又は左右に直線状に配置できるようすると良い。そして、そのコンテナ１０内に並べて収容した複数本のきのこ栽培瓶２０の間に１列に存在する４方をきのこ栽培瓶の瓶胴部２４で囲まれた複数の各空隙部分１４のそれぞれに、その直線状をした支持枠８０に所定のピッチで支持された複数の各差込ブロックの下端６２を一度に同時に嵌入、係止させて、その複数の各差込ブロックの上端６４をコンテナ１０内に並べて収容した複数本のきのこ栽培瓶２０の間に１列に存在する４方をきのこ栽培瓶の瓶胴部２４で囲まれた複数の各空隙部分１４の上方に一度に起立させた状態とすることができるようにすると良い。
【産業上の利用可能性】
【００４６】
本発明のきのこ栽培方法、本発明のカバー及び差込ブロックは、籠状をした底浅のコンテナ内に複数本のきのこ栽培瓶を並べて収容して、その複数本の各きのこ栽培瓶に充填された培地から発芽させたきのこを、きのこ栽培瓶の瓶口を通して、きのこ栽培瓶の上方に伸長させるきのこ栽培方法に有効利用可能である。
【図面の簡単な説明】
【００４７】
【図１】本発明のきのこ栽培方法を示す平面図である。
【図２】本発明のきのこ栽培方法を示す一部破断正面図である。
【図３】本発明の差込ブロックの使用状態説明図である。
【図４】本発明の差込ブロックの斜視図である。
【図５】本発明のきのこ栽培方法を示す平面図である。
【図６】本発明の差込ブロックの使用状態説明図である。
【図７】本発明の差込ブロックの斜視図である。
【図８】本発明の差込ブロックの使用状態説明図である。
【図９】従来のきのこ栽培方法を示す一部破断正面図である。
【図１０】従来のきのこ栽培方法を示す平面図である。
【図１１】従来のきのこ栽培方法を示す一部破断正面図である。
【符号の説明】
【００４８】
１０  コンテナ
１４  ４方をきのこ栽培瓶の瓶胴部で囲まれた空隙部分
２０  きのこ栽培瓶
２２  きのこ栽培瓶の瓶口
２４  きのこ栽培瓶の瓶胴部
２５  きのこ栽培瓶の瓶肩部
２８  きのこ栽培瓶の中心軸
３０  きのこ
４０  巻紙
５０  起立壁
５２  起立壁の下端壁
５４  起立壁の上端壁
５５  カバー
５５ａ、５５ｂ、５５ｃ、５５ｄ、５５ｅ、５５ｆ  分離カバー
５７  凹凸面
６０  差込ブロック
６２  差込ブロックの下端
６４  差込ブロックの上端
７０  係止手段
７２  突条
８０  支持枠
【図１】
2005328786.tif 000003
【図２】
2005328786.tif 000004
【図３】
2005328786.tif 000005
【図４】
2005328786.tif 000006
【図５】
2005328786.tif 000007
【図６】
2005328786.tif 000008
【図７】
2005328786.tif 000009
【図８】
2005328786.tif 000010
【図９】
2005328786.tif 000011
【図１０】
2005328786.tif 000012
【図１１】
2005328786.tif 000013